(57)【要約】【課題】金属板を組み合わされた一対のエンボスロールの間を通して、金属板の表裏に交互に絞り加工を加えて、凹凸の模様を付けるエンボスロール加工により、光の反射を変える美観が向上し、金属板表面の塗装やメッキを割れを防止する、装飾面を持つエンボス加工金属製外壁材。【解決手段】長尺の外壁材の装飾面に関して、その前面基部の長手方向に沿って、それぞれがほぼ平行な多数の細長い溝状の横溝目地を形成し、それにほぼ直角に合わさる縦溝目地を複数形成し、それらにより区切られた区画面を多数形成し、一側方を表面側に少し折り曲げて斜平面と頂面を形成し、そして、頂面に対して斜平面の位置が互いに異なる区画面を、それぞれ交互に長手方向に隣接する、装飾面を形成するエンボス加工金属製外壁材とする。【選択図】図１
2013177812.tif 000002
【特許請求の範囲】
【請求項１】
金属板を成形して装飾面を構成する前面基部の一側端に差込片を形成し、
その前面基部の他側端に嵌合溝と釘打片とを形成し、
複数連続接続して壁面を施工する、長尺の外壁材の装飾面に関して、
その前面基部の長手方向に沿って、それぞれがほぼ平行な多数の細長い溝状の横溝目地を形成し、
それらの横溝目地の途中から分岐して、隣に並行する横溝目地に合わさる縦溝目地を複数形成し、
それらの横溝目地と縦溝目地とにより区切られた次のような複数種類の長さからなる区画面を多数形成し、
周囲の横溝目地と縦溝目地とにより区画された小凹凸を多数形成する頂面を形成し、その頂面から凹んだ横溝目地の底部を表面側に少し折り曲げて平坦性を持つ斜平面を形成し、
その斜平面をさらに裏面側に少し折り曲げて頂面に連続し、
その頂面の斜平面に対する他側方を、くの字形に裏面側に折り曲げて、横溝目地に連なり、
その頂面の長手方向の両端部も、くの字形に裏面側に折り曲げて、頂面から凹んだ縦溝目地に連なり、
そして、頂面に対して斜平面の位置が異なる斜平面が長手方向に多数形成し、
太陽光の反射によりほぼ一定の明るさの頂面と、明るさの異なる斜平面であり長さが異なって入り組んだ装飾面を形成することを特徴とするエンボス加工金属製外壁材。
【発明の詳細な説明】
【技術分野】
【０００１】
この発明は、金属板を組み合わされた一対のエンボスロールの間を通して、金属板の表裏に交互に絞り加工を加えて、凹凸の模様を付けるエンボスロール加工により、光の反射を変える装飾面を持つエンボス加工金属製外壁材に関する。
【背景技術】
【０００２】
反射光を変化させて明るさが変化する効果を生む薄板金属板の壁材には、４方向以上の略平行凹凸模様を形設した凸部領域単位を配設する従来例がある。
（例えば、特許文献１参照）。
【先行技術文献】
【特許文献】
【０００３】
【特許文献１】特開２００２−２３５４２３号公報
【発明の概要】
【発明が解決しようとする課題】
【０００４】
４方向以上の略平行凹凸模様を形設した凸部領域単位を配設する従来例の場合は、反射光を変化させる効果を生む方向性の異なる略平行凹凸模様であるため、その効果を強調させる為に、細い略平行凹凸模様となり、模様の表面質感の印象が制限されて単調となり、また、模様の表面の平坦性が無くなり、太陽光を反射しての鏡の様な輝きある意匠が無くなり、そして、細い略平行凹凸模様は、金属板にアールの小さな加工を加えるため、金属板の表面の塗装やメッキを割って、それらのクラックを生じる。
【課題を解決するための手段】
【０００５】
この発明は、金属板を成形して装飾面を構成する前面基部の一側端に差込片を形成し、その前面基部の他側端に嵌合溝と釘打片とを形成し、複数連続接続して壁面を施工する、長尺の外壁材の装飾面に関して、その前面基部の長手方向に沿って、それぞれがほぼ平行な多数の細長い溝状の横溝目地を形成し、それらの横溝目地の途中から分岐して、隣に並行する横溝目地に合わさる縦溝目地を複数形成し、それらの横溝目地と縦溝目地とにより区切られた次のような複数種類の長さからなる区画面を多数形成し、周囲の横溝目地と縦溝目地とにより区画された小凹凸を多数形成する頂面を形成し、その頂面から凹んだ横溝目地の底部を表面側に少し折り曲げて平坦性を持つ斜平面を形成し、その斜平面をさらに裏面側に少し折り曲げて頂面に連続し、その頂面の斜平面に対する他側方を、くの字形に裏面側に折り曲げて、横溝目地に連なり、その頂面の長手方向の両端部も、くの字形に裏面側に折り曲げて、頂面から凹んだ縦溝目地に連なり、そして、頂面に対して斜平面の位置が異なる斜平面が長手方向に多数形成し、太陽光の反射によりほぼ一定の明るさの頂面と、明るさの異なる斜平面であり長さが異なって入り組んだ装飾面を形成するエンボス加工金属製外壁材とする。
【発明の効果】
【０００６】
この発明による装飾面には、次のような、効果がある。
【０００７】
Ａ．この発明による明るさの異なる模様は、異なる傾斜の斜平面により発現し、方向性の異なる細い略平行凹凸模様によら無いため、
ａ．平坦な面の斜平面となり、
イ．細い略平行凹凸模様と異なり、模様の表面質感の印象が制限されずに、多様な意匠が発現して美観が向上し、
ロ．斜平面の表面に平坦性があり、一部の斜平面が太陽光を反射して鏡の様な輝く意匠が発現して美感が向上し、
ｂ．細い略平行凹凸模様を金属板に成形するための、小さなアールによるエンボス加工が不要となり、
イ．そのための金属板表面の塗装やメッキを割って、それらのクラックを生じて、その為による錆の発生等を防止できる。
【０００８】
Ｂ．頂面に対して斜平面の位置が互いに異なる区画面を、それぞれ交互に長手方向に隣接する、装飾面を形成する場合、
ａ．斜平面のエンボス加工において左右側のエンボス加工量が異なり、金属板の延び量が異なることを防止して、
イ．金属板の延び量の偏りによる、装飾面の有害な凹みであるポケットウェーブの発生を防止可能になり、
ロ．金属板の延び量の偏りによる、金属板の反り、ねじれ、曲がり等を防止可能となり、
ハ．そのために不良率が低下し、生産性が向上し、コストが低下する。
【０００９】
Ｃ．区画面の幅を複数にする場合、
ａ．装飾面に幅広い明るさの異なる斜平面を発現し、より多様な変化に富んだ意匠の装飾面となり、
イ．意匠性が向上する。
【００１０】
Ｄ．頂面に小凹凸を多数形成する場合、
ａ．入射光が様々な方向に反射されて、ほぼ乱反射状態となり、観察者と外壁材との位置関係によらず、観察者から見ればほぼ一定の明るさの頂面が観察され、
イ．装飾面の意匠に基調となる調子を与えて、壁面にふさわしい落ち着いた印象を与え、意匠性が向上する。
【００１１】
Ｅ．縦溝目地の中心間の距離の合計の倍数が、エンボスロールの外周に応じる場合は、
ａ．倍数が大きくなるにしたがって、エンボス加工の斜平面の影響が分散されて、
イ．金属板の延び量の偏りによる、装飾面の有害な凹みであるポケットウェーブの発生を防止可能になり、
ロ．金属板の延び量の偏りによる、金属板の反り、ねじれ、曲がり等を防止可能となり、
ハ．そのために不良率が低下し、生産性が向上し、コストが低下する。
【００１２】
Ｆ．頂面から下側に続く深い横溝目地を形成する場合は、
ａ．太陽光等により頂面の下側に途中で途切れた濃い影が入り組んで配置された外壁材の装飾面が発現し、
イ．装飾面の意匠にアクセントを与えて、壁面に印象を与え、意匠性が向上する。
【００１３】
Ｇ．この発明による明るさの異なる模様は、外壁材の色彩を、
ａ．明るい場合は、白っぽく彩度が減った色に感じさせ、暗い場合は、彩度の高い鮮やかな色に感じさせて、
ｂ．また、平坦な面の斜平面となるため、色を感じる面積が広くなり、より色の違いが大きくなり、
イ．壁面により大きな変化を与えて、
ロ．意匠性が向上する。
【図面の簡単な説明】
【００１４】
【図１】外壁材の一部を示す斜視図（実施例１）
【図２】外壁材の一部省略拡大斜視図（実施例１）
【図３】外壁材の一部を示す正面図（実施例１）
【図４】（ａ） 外壁材の光線の状態を示す説明図（実施例１） （ｂ） 外壁材の端面図（実施例１）
【発明を実施するための形態】
【００１５】
Ａ．この発明による金属板は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板
ｄ．エンボス加工の上に塗装した金属板
ｅ．次に代表されるバネ用板
イ．バネ用ステンレス板
ロ．バネ用炭素鋼板
ハ．バネ用銅合金板等を使用する。
【００１６】
Ｂ．この発明に使用される外壁材は釘打ち固定には、
ａ．次に代表される、固定具を使用して、外壁材の釘打片を固定し、
イ．セルフドリリングタッピングビス
ロ．釘
ハ．ホッチキス
ニ．木ネジ
ホ．コースレッド等を使用する。
【００１７】
Ｃ．この発明に使用される発泡合成樹脂等は、
ａ．外壁材の裏打材には、
イ．次に代表される発泡合成樹脂に
○硬質発泡ウレタン樹脂
○硬質発泡ヌレート樹脂
○発泡フェノール樹脂
○発泡スチレン樹脂等
ロ．次に代表される裏面材を積層している。
○はり合わせアルミニウム箔
○スチールペーパー
Ｏポリエチコートクラフト紙
○アルミ蒸着紙
○合成樹脂シート等
ハ．前記の金属板と裏面材との間に、それらの発泡合成樹脂を充填し、主に発泡合成樹脂の自己接着性を利用して、積層している。
ニ．また、裏面材を欠いた発泡合成樹脂のみの、裏打材とする事も可能である。
【００１８】
発明の実施例について、次の、実施例１により、図面を参照して説明する。
【実施例１】
【００１９】
図１，図２，図３，及び図４の（ｂ）は、この発明の実施例１を示すものである。
【００２０】
Ａ．図１，図２，図３，及び図４に示す、実施例１においての外壁材１は、
ａ．金属板４による長尺の表面材１ａを成形して、次の段落に示す装飾面２を構成する前面基部１ｂを形成し、
ｂ．その前面基部１ｂの一側端に、次のような差込片１ｄを持つ前面下端１ｃを形成し、
イ．その前面下端１ｃは、前面基部１ｂの一側端を裏面側に折り返して、さらに、クランク状に表面側に折り曲げ、さらに、Ｕ字形に表面側に折り曲げて、その先端を裏面側に折り返した差込片１ｄを形成し、
ｃ．前面基部１ｂの他側端に、次のような、前面上端１ｅと、嵌合溝１ｆと、釘打片１ｇとを形成し、
イ．前記の前面基部１ｂを、くの字形に裏面側に折り曲げて、さらに、クランク状に裏面側に折り曲げて、そして、裏面側に折り返して、前面上端１ｅを形成し、
ロ．その前面上端１ｅを、Ｕ字形に表面側に折り曲げて、嵌合溝１ｆを形成し、
ハ．その嵌合溝１ｆを延長して、先端を表面側に折り返した釘打片１ｇを形成し、
ｄ．また、成形した表面材１ａの裏面側に、裏面材１ｉにより覆った、発泡合成樹脂５による次のような、裏打材１ｈを形成し、
イ．その裏面材１ｉは、前面下端１ｃの前面基部１ｂと差込片１ｄとの隙間から、釘打片１ｇに亘る間を覆い、
ロ．その前面下端１ｃの、近傍において、クランク状に厚さを増加して、釘打片１ｇへ続く、平坦な裏打材１ｈを形成し、
ｅ．それらの表面材１ａと裏打材１ｈとを切断して、長手方向の両端に切断端１ｊを形成する。
【００２１】
Ｂ．前面基部１ｂにおいての、前記の装飾面２の構成は、金属板４をエンボスロール加工により成形して、
ａ．その前面基部１ｂの長手方向に沿って、それぞれがほぼ平行な多数の細長い溝状の横溝目地２ｄを形成し、
ｂ．それらの横溝目地２ｄの途中からほぼ直角に分岐して、隣に並行する横溝目地２ｄにほぼ直角に合わさる縦溝目地２ｅを複数形成し、
イ．それらの、縦溝目地２ｅの中心間の距離の合計の倍数が、エンボスロールの外周に応じ、
ｃ．それらの横溝目地２ｄと縦溝目地２ｅとにより、区切られた次のような区画面２ｆを多数形成し、
イ．周囲の横溝目地２ｄと縦溝目地２ｅとの底部から形成する面から、その区画面２ｆの一側方を表面側に少し折り曲げて斜平面２ｃを形成し、
ロ．その斜平面２ｃをさらに裏面側に少し折り曲げて、周囲の横溝目地２ｄと縦溝目地２ｅの底部との底部から形成する面にほぼ平行な頂面２ａを形成し、
ハ．その頂面２ａに、多数の小さな裏面側に凹んだ小さな小凹凸２ｂを形成し、
ニ．また、その頂面２ａの斜平面２ｃに対する他側方を、くの字形に裏面側に折り曲げて、横溝目地２ｄに連なり、
ホ．そして、その頂面２ａの長手方向の両端部も、くの字形に裏面側に折り曲げて、縦溝目地２ｅに連なり、
ｄ．そして、その横溝目地２ｄの幅は、大中小の３種類があり、それぞれが外壁材１を横張り施工した時に、頂面２ａに対する斜平面２ｃの位置により、更に上下の２種類に分けられ、区画面２ｆは次のように分類され、
イ．幅が大きく、斜平面２ｃが上側の上大区画２ｇと、
ロ．幅が中間で、斜平面２ｃが上側の上中区画２ｈと、
ハ．幅が小さく、斜平面２ｃが上側の上小区画２ｉと、
ニ．幅が大きく、斜平面２ｃが下側の下大区画２ｊと、
ホ．幅が中間で、斜平面２ｃが下側の下中区画２ｋと、
ヘ．幅が小さく、斜平面２ｃが下側の下小区画２ｌと、
チ．それらの頂面２ａの、縦溝目地２ｅの底部との底部から形成する面からの高さは、ほぼ一定とし、
ｅ．そして、上大区画２ｇと下大区画２ｊとが交互に隣接し、上中区画２ｈと下中区画２ｋとが交互に隣接し、上小区画２ｉと下小区画２ｌとが交互に隣接し、
イ．それらの、隣接する上大区画２ｇと下大区画２ｊと、隣接する上中区画２ｈと下中区画２ｋと、隣接する上小区画２ｉと下小区画２ｌとの、組み合わせた長さの倍数がエンボスロールの外周に応じた装飾面２を形成する。
【００２２】
Ｃ．図４に示す、実施例１の外壁材１を横張り施工した時の、外壁材１の装飾面２による光線３の反射は、
ａ．次のような入射光３ａが上方から入射し、
イ．太陽光はその直径が距離に対して小さいからほぼ平行光線となり、平行光線の入射光３ａとして表せ、
ロ．太陽光が雲により散乱された時も、その平均で最大の入射光３ａは、その外壁材１から空を見た時の立体角の中心を通り、外壁材１は全天の空に対して小さいからほぼ平行光線となり、平行光線の入射光３ａとして表せ、
ｂ．それらの入射光３ａは、外壁材１の装飾面２の区画面２ｆ上において、次のように反射し、
イ．その区画面２ｆの頂面２ａにおいては、それに形成された多数の小凹凸２ｂにより、様々な方向に反射されて、ほぼ乱反射状態となり、観察者と外壁材１との位置関係によらず、観察者から見ればほぼ一定の明るさの頂面２ａが観察され、
ロ．その区画面２ｆの斜平面２ｃにおいては、その表面がほぼ平坦であり、入射光３ａと斜平面２ｃの交点において、入射光３ａの斜平面２ｃに立てた垂線に対して対称な方向の光線３が最大の反射光３ｂとなり、その最大の反射光３ｂから角度が外れるほど小さな光線３となり、
ハ．その反射光３ｂは、上大区画２ｇと上中区画２ｈと上小区画２ｉとは、その幅が異なりその頂面２ａの高さが一定であるため、その頂面２ａに対する斜平面２ｃの角度が異なり、また、下大区画２ｊと下中区画２ｋと下小区画２ｌとは、前者のグループとは、その頂面２ａに対する斜平面２ｃの角度がマイナスになる関係になり、より大きな角度の差が発生し、
ニ．そのため、下側の多様な方向への反射光３ｂが発生し、観察者への外壁材１から引いた仮の直線の角度と、その反射光３ｂの角度との差に大小が発生し、
ｃ．その反射の結果により、次のような状態が発生し、
イ．観察者から見れば、明るさの異なる斜平面２ｃが観察され、
ロ．その事により、ほぼ一定の明るさの頂面２ａと、様々に明るさの異なる斜平面２ｃが入り組んだ外壁材１の装飾面２が観察され、
ｄ．また、横溝目地２ｄにより、
イ．頂面２ａから下側に続く横溝目地２ｄは深くなり、太陽光等により頂面２ａの下側に濃い影を作り、
ロ．しかし、頂面２ａから上側に続く横溝目地２ｄは影は作らずに、
ハ．斜平面２ｃから続く横溝目地２ｄの場合は浅くなり、太陽光等による影は作っても薄く目立たずに、
ニ．そのため、途中で途切れた濃い影が入り組んで配置された、外壁材１の装飾面２が観察され、
ｅ．そして、上記の現象は、外壁材１を縦張り施工した場合にも現れる。
【符号の説明】
【００２３】
１ 外壁材
２ 装飾面
３ 光線
４ 金属板
５ 発泡合成樹脂
【図１】
2013177812.tif 000003
【図２】
2013177812.tif 000004
【図３】
2013177812.tif 000005
【図４】
2013177812.tif 000006